(57)【要約】【課題】  複数のコンデンサ間に応力が集中することが抑制された積層コンデンサアレイを提供すること。【解決手段】  積層コンデンサアレイのコンデンサ素体Ｌ１は、相対向する長方形状の第１の及び第２の主面Ｌ１ａ、Ｌ１ｂを有する。複数の誘電体層１０〜１７が積層されたコンデンサ素体Ｌ１では、第１の領域Ｌ１１に第１の内部電極２１、２２が、第２の領域Ｌ１２に第２の内部電極３１、３２が、第１及び第２の領域Ｌ１１、Ｌ１２に跨るように第３及び第４の内部電極４１、４２、５１、５２が配置される。各第３の内部電極４１、４２は、第４の内部電極５１、５２と隣接している。【選択図】  図２
2008251957.tif 000002
【特許請求の範囲】
【請求項１】
相対向する長方形状の第１及び第２の主面と、前記第１及び第２の主面間を連結するように前記第１及び第２の主面の短辺方向に伸びている第１及び第２の端面と、前記第１及び第２の主面間を連結するように前記第１及び第２の主面の長辺方向に伸びている第１及び第２の側面とを有し、且つ誘電特性を有するコンデンサ素体と、
前記コンデンサ素体の外表面に配置される第１、第２、第３、及び第４の端子電極と、
前記第１の端子電極に接続され、且つ前記コンデンサ素体内に配置される複数の第１の内部電極と、
前記第２の端子電極に接続され、且つ前記コンデンサ素体内に配置される複数の第２の内部電極と、
前記第３の端子電極に接続され、且つ前記コンデンサ素体内に配置される複数の第３の内部電極と、
前記第４の端子電極に接続され、且つ前記コンデンサ素体内に配置される複数の第４の内部電極と、を備え、
前記コンデンサ素体は、前記第１及び第２の主面の対向方向に伸びる第１の領域と、前記第１及び第２の主面の対向方向に伸び且つ前記第１及び第２の主面の対向方向に直交する方向に沿って前記第１の領域と並ぶ第２の領域と、を有し、
前記複数の第１の内部電極は、前記第１の領域内に配置され、
前記複数の第２の内部電極は、前記第２の領域内に配置され、
前記複数の第３の内部電極は、前記第１及び第２の領域の双方に跨るように配置され、
前記複数の第４の内部電極は、前記第１及び第２の領域の双方に跨るように配置され、
前記各第３の内部電極は、前記第１及び第２の主面の対向方向に前記コンデンサ素体の一部を間に挟んで前記複数の第１の内部電極の少なくとも１つと対向し、且つ前記第１及び第２の主面の対向方向に前記コンデンサ素体の一部を間に挟んで前記複数の第２の内部電極の少なくとも１つと対向するように前記コンデンサ素体内に配置され、
前記各第４の内部電極は、前記第１及び第２の主面の対向方向に前記コンデンサ素体の一部を間に挟んで前記複数の第１の内部電極の少なくとも１つと対向し、且つ前記第１及び第２の主面の対向方向に前記コンデンサ素体の一部を間に挟んで前記複数の第２の内部電極の少なくとも１つと対向するように前記コンデンサ素体内に配置され、
前記各第３の内部電極は、前記複数の第４の内部電極の１つと前記第１及び第２の主面の対向方向に沿って前記コンデンサ素体の一部を間に挟んで隣接しており、
前記各第４の内部電極は、前記複数の第３の内部電極の１つと前記第１及び第２の主面の対向方向に沿って前記コンデンサ素体の一部を間に挟んで隣接していることを特徴とする積層コンデンサアレイ。
【請求項２】
前記各第１の内部電極は、前記第１及び第２の主面の対向方向において前記複数の第２の内部電極の何れとも異なる位置に配置されていることを特徴とする請求項１記載の積層コンデンサアレイ。
【発明の詳細な説明】
【技術分野】
【０００１】
本発明は、積層コンデンサアレイに関する。
【背景技術】
【０００２】
従来積層コンデンサアレイとして、複数の内部電極が並設された内部電極層と誘電体層とが交互に積層されたコンデンサ素体と、当該コンデンサ素体に形成された複数の端子電極とを備えたものが知られている（例えば、特許文献１参照）。
【０００３】
特許文献１に記載の積層コンデンサアレイを内部電極の対向方向で見た場合、各内部電極層において複数の内部電極が一定の距離離れて並設されている。そのため、内部電極の対向方向で見た場合、対向する複数の内部電極同士の間に内部電極を有さない領域が存在する。すなわち、対向する内部電極によって積層コンデンサアレイには複数のコンデンサが形成され、これら複数のコンデンサは、対向する内部電極同士の間の内部電極を有さない領域によって明確に分離されることとなる。
【特許文献１】特開２０００−３３１８７９号公報
【発明の開示】
【発明が解決しようとする課題】
【０００４】
しかしながら、特許文献１に記載の積層コンデンサアレイに電圧を印加した場合、複数のコンデンサそれぞれに印加電圧に応じた歪みが生じ、コンデンサの間の内部電極を有さない領域には各コンデンサの歪みによって生じる応力が集中してしまう。
【０００５】
本発明は、複数のコンデンサ間に応力が集中することが抑制された積層コンデンサアレイを提供することを課題とする。
【課題を解決するための手段】
【０００６】
本発明に係る積層コンデンサアレイは、相対向する長方形状の第１及び第２の主面と、第１及び第２の主面間を連結するように第１及び第２の主面の短辺方向に伸びている第１及び第２の端面と、第１及び第２の主面間を連結するように第１及び第２の主面の長辺方向に伸びている第１及び第２の側面とを有し、且つ誘電特性を有するコンデンサ素体と、コンデンサ素体の外表面に配置される第１、第２、第３、及び第４の端子電極と、第１の端子電極に接続され、且つコンデンサ素体内に配置される複数の第１の内部電極と、第２の端子電極に接続され、且つコンデンサ素体内に配置される複数の第２の内部電極と、第３の端子電極に接続され、且つコンデンサ素体内に配置される複数の第３の内部電極と、第４の端子電極に接続され、且つコンデンサ素体内に配置される複数の第４の内部電極と、を備え、コンデンサ素体は、第１及び第２の主面の対向方向に伸びる第１の領域と、第１及び第２の主面の対向方向に伸び且つ第１及び第２の主面の対向方向に直交する方向に沿って第１の領域と並ぶ第２の領域と、を有し、複数の第１の内部電極は、第１の領域内に配置され、複数の第２の内部電極は、第２の領域内に配置され、複数の第３の内部電極は、第１及び第２の領域の双方に跨るように配置され、複数の第４の内部電極は、第１及び第２の領域の双方に跨るように配置され、各第３の内部電極は、第１及び第２の主面の対向方向にコンデンサ素体の一部を間に挟んで複数の第１の内部電極の少なくとも１つと対向し、且つ第１及び第２の主面の対向方向にコンデンサ素体の一部を間に挟んで複数の第２の内部電極の少なくとも１つと対向するようにコンデンサ素体内に配置され、各第４の内部電極は、第１及び第２の主面の対向方向にコンデンサ素体の一部を間に挟んで複数の第１の内部電極の少なくとも１つと対向し、且つ第１及び第２の主面の対向方向にコンデンサ素体の一部を間に挟んで複数の第２の内部電極の少なくとも１つと対向するようにコンデンサ素体内に配置され、各第３の内部電極は、複数の第４の内部電極の１つと第１及び第２の主面の対向方向に沿ってコンデンサ素体の一部を間に挟んで隣接しており、各第４の内部電極は、複数の第３の内部電極の１つと第１及び第２の主面の対向方向に沿ってコンデンサ素体の一部を間に挟んで隣接していることを特徴とする。
【０００７】
上記積層コンデンサアレイでは、コンデンサ素体の第１の領域内に配置される第１の内部電極と第３及び第４の内部電極とによって１つのコンデンサが形成され、コンデンサ素体の第２の領域内に位置する第２の内部電極と第３及び第４の内部電極とによって別のコンデンサが形成されている。第３及び第４の内部電極は何れも、第１及び第２の領域を跨るように配置されている。そのため、第１の内部電極と第３及び第４の内部電極とによって形成されるコンデンサ、並びに第２の内部電極と第３及び第４の内部電極とによって形成されるコンデンサに電圧が印加され、それぞれのコンデンサによって第１及び第２の領域に電歪が生じた場合であっても、第３及び第４の内部電極が第１及び第２の領域を跨っているため、第１及び第２の領域の間にも電歪が発生する。これにより、コンデンサ素体の第１及び第２の領域の間、すなわちコンデンサアレイに含まれる２つのコンデンサの間に応力が集中することが抑制される。また、第３及び第４の内部電極は隣接してコンデンサ素体内に配置されている。同極性の内部電極が隣接して対向している箇所では、積層コンデンサアレイに電圧を印加したとしても電界は生じない。したがって、その分、電歪によって発生する積層コンデンサアレイの振動は抑制される。
【０００８】
各第１の内部電極は、第１及び第２の主面の対向方向において複数の第２の内部電極の何れとも異なる位置に配置されていることが好ましい。この場合、内部電極間の間隔を大きくとれる部分を有するため、電歪によって発生する振動を抑制することが可能となる。
【発明の効果】
【０００９】
本発明によれば、複数のコンデンサ間に応力が集中することが抑制された積層コンデンサアレイを提供することができる。
【発明を実施するための最良の形態】
【００１０】
以下、添付図面を参照して、好適な実施形態について詳細に説明する。なお、説明において、同一要素又は同一機能を有する要素には、同一符号を用いることとし、重複する説明は省略する。
（第１実施形態）
【００１１】
図１〜図３を参照して、第１実施形態に係る積層コンデンサアレイＣＡ１の構成について説明する。図１は、第１実施形態に係る積層コンデンサアレイの斜視図である。図２は、第１実施形態に係る積層コンデンサアレイに含まれるコンデンサ素体の分解斜視図である。図３は、図１に示した積層コンデンサアレイのIII−III矢印断面の構成を説明するための図である。
【００１２】
第１実施形態に係る積層コンデンサアレイＣＡ１は、図１に示されるように、コンデンサ素体Ｌ１と、コンデンサ素体Ｌ１の外表面に配置された第１〜第４の端子電極１〜４とを備える。第１〜第４の端子電極１〜４は、例えば導電性金属粉末及びガラスフリットを含む導電性ペーストをコンデンサ素体の外表面の付与し、焼き付けることによって形成される。必要に応じて、焼き付けられた端子電極の上にめっき層が形成されることもある。これらの第１〜第４の端子電極１〜４は、コンデンサ素体Ｌ１の表面上においては互いに電気的に絶縁されて形成されている。
【００１３】
コンデンサ素体Ｌ１は、図１に示されるように、直方体状であり、互いに対向する長方形状の第１及び第２の主面Ｌ１ａ、Ｌ１ｂと、第１及び第２の主面Ｌ１ａ、Ｌ１ｂ間を連結するように第1及び第２の主面の短辺方向に伸び且つ互いに対向する第１及び第２の端面Ｌ１ｃ、Ｌ１ｄと、第1及び第２の主面Ｌ１ａ、Ｌ１ｂ間を連結するように第1及び第２の主面Ｌ１ａ、Ｌ１ｂの長辺方向に伸び且つ互いに対向する第１及び第２の側面Ｌ１ｅ、Ｌ１ｆと、を有する。
【００１４】
第１及び第２の端子電極１、２は、コンデンサ素体Ｌ１の第２の側面Ｌ１ｆに配置されている。第１及び第２の端子電極１、２はこの順で、第１の端面Ｌ１ｃ側から第２の端面Ｌ１ｄ側に向かって配置されている。第３及び第４の端子電極３、４は、コンデンサ素体Ｌ１の第２の側面Ｌ１ｆと対向する第１の側面Ｌ１ｅに配置されている。第３及び第４の端子電極３、４はこの順で、第１の端面Ｌ１ｃ側から第２の端面Ｌ１ｄ側に向かって配置されている。
【００１５】
コンデンサ素体Ｌ１は、図２に示されるように、積層された複数（本実施形態では、８層）の誘電体層１０〜１７を有する。各誘電体層１０〜１７は、例えば誘電体セラミックを含むセラミックグリーンシートの焼結体から構成される。なお、実際の積層コンデンサアレイＣＡ１では、誘電体層１０〜１７の間の境界が視認できない程度に一体化されている。
【００１６】
図２に示されているように、コンデンサ素体Ｌ１には、複数（本実施形態では３層）の第１の内部電極２１、２２、２７と、複数（本実施形態では３層）の第２の内部電極３１、３２、３７と、複数（本実施形態では２層）の第３の内部電極４１、４２と、複数（本実施形態では２層）の第４の内部電極５１、５２とが配置されている。各内部電極２１、２２、２７、３１、３２、３７、４１、４２、５１、５２は、例えば、導電性ペーストの焼結体から構成される。
【００１７】
第１の内部電極２１、２２、２７は、コンデンサ素体Ｌ１内において第１及び第２の主面Ｌ１ａ、Ｌ１ｂの対向方向に伸びる第１の領域Ｌ１１に配置される。第２の内部電極３１、３２、３７は、コンデンサ素体Ｌ１内において第１及び第２の主面Ｌ１ａ、Ｌ１ｂの対向方向に伸びる第２の領域Ｌ１２に配置される。
【００１８】
第３の内部電極４１、４２は、第１及び第２の領域Ｌ１１、Ｌ１２の双方に跨るように、コンデンサ素体Ｌ１内の配置される。第４の内部電極５１、５２は、第１及び第２の領域Ｌ１１、Ｌ１２の双方に跨るように、コンデンサ素体Ｌ１内の配置される。
【００１９】
第１及び第２の領域Ｌ１１、Ｌ１２は、第１及び第２の主面Ｌ１ａ、Ｌ１ｂの対向方向に直交する方向である第１及び第２の端面Ｌ１ｃ、Ｌ１ｄの対向方向に沿って並んでいる。すなわち、本実施形態では、第１の領域Ｌ１１は、コンデンサ素体Ｌ１の第１及び第２の主面Ｌ１ａ、Ｌ１ｂの長辺の半分に当たる位置から第１の端面Ｌ１ｃ側の領域に相当する。第２の領域Ｌ１２は、コンデンサ素体Ｌ１の第１及び第２の主面Ｌ１ａ、Ｌ１ｂの長辺の半分に当たる位置から第２の端面Ｌ１ｄ側の領域に相当する。
【００２０】
コンデンサ素体Ｌ１内において、第１の内部電極２１と第２の内部電極３１とは、第１及び第２の主面Ｌ１ａ、Ｌ１ｂの対向方向において同じ位置に配置されている。具体的には、第１及び第２の内部電極２１、３１は、誘電体層１０と誘電体層１１との間に位置する。第１及び第２の内部電極２１、３１は、コンデンサ素体Ｌ１の第１及び第２の端面Ｌ１ｃ、Ｌ１ｄの対向方向に沿って併置されている。第１の内部電極２１が第１の端面Ｌ１ｃ側に、第２の内部電極３１が第２の端面Ｌ１ｄ側に配置される。
【００２１】
コンデンサ素体Ｌ１内において、第１の内部電極２２と第２の内部電極３２とは、第１及び第２の主面Ｌ１ａ、Ｌ１ｂの対向方向において同じ位置に配置されている。具体的には、第１及び第２の内部電極２２、３２は、誘電体層１３と誘電体層１４との間に位置する。第１及び第２の内部電極２２、３２は、コンデンサ素体Ｌ１の第１及び第２の端面Ｌ１ｃ、Ｌ１ｄの対向方向に沿って併置されている。第１の内部電極２２が第１の端面Ｌ１ｃ側に、第２の内部電極３２が第２の端面Ｌ１ｄ側に配置される。
【００２２】
コンデンサ素体Ｌ１内において、第１の内部電極２７と第２の内部電極３７とは、第１及び第２の主面Ｌ１ａ、Ｌ１ｂの対向方向において同じ位置に配置されている。具体的には、第１及び第２の内部電極２７、３７は、誘電体層１６と誘電体層１７との間に位置する。第１及び第２の内部電極２７、３７は、コンデンサ素体Ｌ１の第１及び第２の端面Ｌ１ｃ、Ｌ１ｄの対向方向に沿って併置されている。第１の内部電極２７が第１の端面Ｌ１ｃ側に、第２の内部電極３７が第２の端面Ｌ１ｄ側に配置される。
【００２３】
コンデンサ素体Ｌ１内において複数の内部電極は、第１の主面Ｌ１ａから第２の主面Ｌ１ｂに向かって、第１及び第２の内部電極２１、３１、第３の内部電極４１、第４の内部電極５１、第１及び第２の内部電極２２、３２、第３の内部電極４２、第４の内部電極５２、第１及び第２の内部電極２７、３７の順で配置されている。
【００２４】
コンデンサ素体Ｌ１の第１の領域Ｌ１１内において複数の内部電極は、第１の主面Ｌ１ａから第２の主面Ｌ１ｂに向かって、第１の内部電極２１、第３の内部電極４１、第４の内部電極５１、第１の内部電極３２、第３の内部電極４２、第４の内部電極５２、第１の内部電極２７の順で配置されている。コンデンサ素体Ｌ１の第２の領域Ｌ１２内において複数の内部電極は、第１の主面Ｌ１ａから第２の主面Ｌ１ｂに向かって、第２の内部電極３１、第３の内部電極４１、第４の内部電極５１、第２の内部電極３２、第３の内部電極４２、第４の内部電極５２、第３の内部電極３７の順で配置されている。
【００２５】
第１の領域Ｌ１１内での対向関係を詳述する。第１及び第３の内部電極２１、４１は、コンデンサ素体Ｌ１の一部である一層の誘電体層１１を間に挟んで、第１及び第２の主面Ｌ１ａ、Ｌ１ｂの対向方向に沿って互いに対向している。第３及び第４の内部電極４１、５１は、コンデンサ素体Ｌ１の一部である一層の誘電体層１２を間に挟んで、第１及び第２の主面Ｌ１ａ、Ｌ１ｂの対向方向に沿って互いに対向している。第４及び第１の内部電極５１、２２は、コンデンサ素体Ｌ１の一部である一層の誘電体層１３を間に挟んで、第１及び第２の主面Ｌ１ａ、Ｌ１ｂの対向方向に沿って互いに対向している。第１及び第３の内部電極２２、４２は、コンデンサ素体Ｌ１の一部である一層の誘電体層１４を間に挟んで、第１及び第２の主面Ｌ１ａ、Ｌ１ｂの対向方向に沿って互いに対向している。第３及び第４の内部電極４２、５２は、コンデンサ素体Ｌ１の一部である一層の誘電体層１５を間に挟んで、第１及び第２の主面Ｌ１ａ、Ｌ１ｂの対向方向に沿って互いに対向している。第４及び第１の内部電極５２、２７は、コンデンサ素体Ｌ１の一部である一層の誘電体層１６を間に挟んで、第１及び第２の主面Ｌ１ａ、Ｌ１ｂの対向方向に沿って互いに対向している。
【００２６】
第２の領域Ｌ１２内での対向関係を詳述する。第２及び第３の内部電極３１、４１は、コンデンサ素体Ｌ１の一部である一層の誘電体層１１を間に挟んで、第１及び第２の主面Ｌ１ａ、Ｌ１ｂの対向方向に沿って互いに対向している。第３及び第４の内部電極４１、５１は、コンデンサ素体Ｌ１の一部である一層の誘電体層１２を間に挟んで、第１及び第２の主面Ｌ１ａ、Ｌ１ｂの対向方向に沿って互いに対向している。第４及び第２の内部電極５１、３２は、コンデンサ素体Ｌ１の一部である一層の誘電体層１３を間に挟んで、第１及び第２の主面Ｌ１ａ、Ｌ１ｂの対向方向に沿って互いに対向している。第２及び第３の内部電極３２、４２は、コンデンサ素体Ｌ１の一部である一層の誘電体層１４を間に挟んで、第１及び第２の主面Ｌ１ａ、Ｌ１ｂの対向方向に沿って互いに対向している。第３及び第４の内部電極４２、５２は、コンデンサ素体Ｌ１の一部である一層の誘電体層１５を間に挟んで、第１及び第２の主面Ｌ１ａ、Ｌ１ｂの対向方向に沿って互いに対向している。第４及び第２の内部電極５２、３７は、コンデンサ素体Ｌ１の一部である一層の誘電体層１６を間に挟んで、第１及び第２の主面Ｌ１ａ、Ｌ１ｂの対向方向に沿って互いに対向している。
【００２７】
また、第３の内部電極４１と第４の内部電極５１とは、第１及び第２の主面Ｌ１ａ、Ｌ１ｂの対向方向に沿って、誘電体層１２を間に挟んで隣接している。第３の内部電極４２と第４の内部電極５２とは、第１及び第２の主面Ｌ１ａ、Ｌ１ｂの対向方向に沿って、誘電体層１５を間に挟んで隣接している。
【００２８】
第１の内部電極２１、２２、２７は、四辺がそれぞれ第１及び第２の端面Ｌ１ｃ、Ｌ１ｄ、並びに第１及び第２の側面Ｌ１ｅ、Ｌ１ｆと平行な四辺形状の主電極部２３、２４、２８と、主電極部２３、２４、２８から第２の側面Ｌ１ｆに露出するように伸びる引き出し部２５、２６、２９とを含んでいる。第２の側面Ｌ１ｆに露出する引き出し部２５、２６、２９は、第１の端子電極１に物理的に接続される。すなわち、第１の内部電極２１、２２、２７は、第１の端子電極１に接続される。
【００２９】
第２の内部電極３１、３２、３７は、四辺がそれぞれ第１及び第２の端面Ｌ１ｃ、Ｌ１ｄ、並びに第１及び第２の側面Ｌ１ｅ、Ｌ１ｆと平行な四辺形状の主電極部３３、３４、３８と、主電極部３３、３４、３８から第２の側面Ｌ１ｆに露出するように伸びる引き出し部３５、３６、３９とを含んでいる。第２の側面Ｌ１ｆに露出する引き出し部３５、３６、３９は、第２の端子電極２に物理的に接続される。すなわち、第２の内部電極３１、３２、３７は、第２の端子電極２に接続される。
【００３０】
第３の内部電極４１、４２は、四辺がそれぞれ第１及び第２の端面Ｌ１ｃ、Ｌ１ｄ、並びに第１及び第２の側面Ｌ１ｅ、Ｌ１ｆと平行な四辺形状の主電極部４３、４４と、主電極部４３、４４から第１の側面Ｌ１ｅに露出するように伸びる引き出し部４５、４６とを含んでいる。第１の側面Ｌ１ｅに露出する引き出し部４５、４６は、第３の端子電極３に物理的に接続される。すなわち、第３の内部電極４１、４２は、第３の端子電極３に接続される。
【００３１】
第４の内部電極５１、５２は、四辺がそれぞれ第１及び第２の端面Ｌ１ｃ、Ｌ１ｄ、並びに第１及び第２の側面Ｌ１ｅ、Ｌ１ｆと平行な四辺形状の主電極部５３、５４と、主電極部５３、５４から第１の側面Ｌ１ｅに露出するように伸びる引き出し部５５、５６とを含んでいる。第１の側面Ｌ１ｅに露出する引き出し部５５、５６は、第４の端子電極４に物理的に接続される。すなわち、第４の内部電極５１、５２は、第４の端子電極４に接続される。
【００３２】
コンデンサ素体Ｌ１の第１の領域Ｌ１１では、図２及び図３に示されているように、第１の内部電極２１、２２、２７と第３及び第４の内部電極４１、４２、５１、５２とが誘電体層１１、１３、１４、１６を間に挟んで対向している。したがって、第１の内部電極２１、２２、２７と第３及び第４の内部電極４１、４２、５１、５２とは静電容量Ｃ１１を形成し、積層コンデンサアレイＣＡ１に含まれるコンデンサの１つを形成する。なお、図３において、誘電体層１０〜１７に相当する領域のハッチングは見易さのため省略している。
【００３３】
コンデンサ素体Ｌ１の第２の領域Ｌ１２ではさらに、図２及び図３に示されているように、第２の内部電極３１、３２、３７と第３及び第４の内部電極４１、４２、５１、５２とが誘電体層１１、１３、１４、１６を間に挟んで対向している。したがって、第２の内部電極３１、３２、３７と第３及び第４の内部電極４１、４２、５１、５２とは静電容量Ｃ１２を形成し、積層コンデンサアレイＣＡ１に含まれるコンデンサの１つを形成する。
【００３４】
積層コンデンサアレイＣＡ１の等価回路図を図４に示す。図４に示されるように、積層コンデンサアレイＣＡ１には、コンデンサＣ１１とコンデンサＣ１２とが形成される。
【００３５】
積層コンデンサアレイＣＡ１の複数のコンデンサＣ１１、Ｃ１２の形成に寄与する第３及び第４の内部電極４１、４２、５１、５２は、第１及び第２の主面Ｌ１ａ、Ｌ１ｂの対向方向で見たときに、第１及び第２の領域Ｌ１１、Ｌ１２の双方に跨るように配置されている。したがって、第１の内部電極２１、２２、２７と第３及び第４の内部電極４１、４２、５１、５２とによって形成されるコンデンサＣ１１、並びに第２の内部電極３１、３２、３７と第３及び第４の内部電極４１、４２、５１、５２とによって形成されるコンデンサＣ１２に電圧が印加され、それぞれのコンデンサに電歪が生じた場合であっても、図３から明らかなように、第１及び第２の領域Ｌ１１、Ｌ１２の間、すなわち２つのコンデンサＣ１１、Ｃ１２の間にも第３及び第４の内部電極４１、４２、５１、５２が存在するため、この部分にも電歪が発生する。これにより、２つのコンデンサＣ１１、Ｃ１２の間に応力が集中することが抑制される。
【００３６】
また、第３及び第４の内部電極４１、４２、５１、５２は隣接してコンデンサ素体Ｌ１内に配置されている。積層コンデンサアレイＣＡ１に電圧を印加した場合であっても、同極性の内部電極が隣接して対向している箇所では電界は生じない。すなわち、第３及び第４の内部電極４１、５１が隣接している箇所、及び第３及び第４の内部電極４２、５２が隣接している箇所には、これらの隣接している内部電極による電界は発生しない。したがって、その分、電歪によって発生する積層コンデンサアレイＣＡ１の振動は抑制される。
（第２実施形態）
【００３７】
図５〜図７を参照して、第２実施形態に係る積層コンデンサアレイＣＡ２の構成について説明する。図５は、第２実施形態に係る積層コンデンサアレイの斜視図である。図６は、第２実施形態に係る積層コンデンサアレイに含まれるコンデンサ素体の分解斜視図である。図７は、図５に示した積層コンデンサアレイのVII−VII矢印断面の構成を説明するための図である。
【００３８】
第２実施形態に係る積層コンデンサアレイＣＡ２は、図５に示されるように、コンデンサ素体Ｌ２と、コンデンサ素体Ｌ２の外表面に配置された第１〜第４の端子電極１〜４とを備える。
【００３９】
コンデンサ素体Ｌ２は、図５に示されるように、直方体状であり、互いに対向する長方形状の第１及び第２の主面Ｌ２ａ、Ｌ２ｂと、第１及び第２の主面Ｌ２ａ、Ｌ２ｂ間を連結するように第1及び第２の主面の短辺方向に伸び且つ互いに対向する第１及び第２の端面Ｌ２ｃ、Ｌ２ｄと、第1及び第２の主面Ｌ２ａ、Ｌ２ｂ間を連結するように第1及び第２の主面Ｌ２ａ、Ｌ２ｂの長辺方向に伸び且つ互いに対向する第１及び第２の側面Ｌ２ｅ、Ｌ２ｆと、を有する。
【００４０】
第１及び第４の端子電極１、４は、コンデンサ素体Ｌ２の第２の側面Ｌ２ｆに配置されている。第１及び第４の端子電極１、４はこの順で、第１の端面Ｌ２ｃ側から第２の端面Ｌ２ｄ側に向かって配置されている。第３及び第２の端子電極３、２は、コンデンサ素体Ｌ２の第２の側面Ｌ２ｆと対向する第１の側面Ｌ２ｅに配置されている。第３及び第２の端子電極３、２はこの順で、第１の端面Ｌ２ｃ側から第２の端面Ｌ２ｄ側に向かって配置されている。
【００４１】
コンデンサ素体Ｌ２は、図６に示されるように、積層された複数（本実施形態では８層）の誘電体層１０〜１７を有する。図６に示されているように、コンデンサ素体Ｌ２には、複数（本実施形態では３層）の第１の内部電極２１、２２、２７と、複数（本実施形態では３層）の第２の内部電極３１、３２、３７と、複数（本実施形態では２層）の第３の内部電極４１、４２と、複数（本実施形態では２層）の第４の内部電極５１、５２とが配置されている。
【００４２】
第１の内部電極２１、２２、２７は、コンデンサ素体Ｌ２内において第１及び第２の主面Ｌ１ａ、Ｌ１ｂの対向方向に伸びる第１の領域Ｌ２１に配置される。第２の内部電極３１、３２、３７は、コンデンサ素体Ｌ２内において第１及び第２の主面Ｌ１ａ、Ｌ１ｂの対向方向に伸びる第２の領域Ｌ２２に配置される。
【００４３】
第３の内部電極４１、４２は、第１及び第２の領域Ｌ２１、Ｌ２２の双方に跨るように、コンデンサ素体Ｌ２内の配置される。第４の内部電極５１、５２は、第１及び第２の領域Ｌ２１、Ｌ２２の双方に跨るように、コンデンサ素体Ｌ２内の配置される。
【００４４】
第１及び第２の領域Ｌ２１、Ｌ２２は、第１及び第２の主面Ｌ２ａ、Ｌ２ｂの対向方向に直交する方向である第１及び第２の端面Ｌ２ｃ、Ｌ２ｄの対向方向に沿って並んでいる。第１の領域Ｌ２１はコンデンサ素体Ｌ２の第１の端面Ｌ２ｃ側の領域に相当し、第２の領域Ｌ２２はコンデンサ素体Ｌ２の第２の端面Ｌ２ｄ側の領域に相当する。
【００４５】
コンデンサ素体Ｌ２内において、第１の内部電極２１と第２の内部電極３１とは、第１及び第２の主面Ｌ２ａ、Ｌ２ｂの対向方向において同じ位置に配置されている。具体的には、第１及び第２の内部電極２１、３１は、誘電体層１０と誘電体層１１との間に位置する。第１及び第２の内部電極２１、３１は、コンデンサ素体Ｌ２の第１及び第２の端面Ｌ２ｃ、Ｌ２ｄの対向方向に沿って併置されている。第１の内部電極２１が第１の端面Ｌ２ｃ側に、第２の内部電極３１が第２の端面Ｌ２ｄ側に配置される。
【００４６】
コンデンサ素体Ｌ２内において、第１の内部電極２２と第２の内部電極３２とは、第１及び第２の主面Ｌ２ａ、Ｌ２ｂの対向方向において同じ位置に配置されている。具体的には、第１及び第２の内部電極２２、３２は、誘電体層１３と誘電体層１４との間に位置する。第１及び第２の内部電極２２、３２は、コンデンサ素体Ｌ２の第１及び第２の端面Ｌ２ｃ、Ｌ２ｄの対向方向に沿って併置されている。第１の内部電極２２が第１の端面Ｌ２ｃ側に、第２の内部電極３２が第２の端面Ｌ２ｄ側に配置される。
【００４７】
コンデンサ素体Ｌ２内において、第１の内部電極２７と第２の内部電極３７とは、第１及び第２の主面Ｌ２ａ、Ｌ２ｂの対向方向において同じ位置に配置されている。具体的には、第１及び第２の内部電極２７、３７は、誘電体層１６と誘電体層１７との間に位置する。第１及び第２の内部電極２７、３７は、コンデンサ素体Ｌ２の第１及び第２の端面Ｌ２ｃ、Ｌ２ｄの対向方向に沿って併置されている。第１の内部電極２７が第１の端面Ｌ２ｃ側に、第２の内部電極３７が第２の端面Ｌ２ｄ側に配置される。
【００４８】
コンデンサ素体Ｌ２内において複数の内部電極は、第１の主面Ｌ２ａから第２の主面Ｌ２ｂに向かって、第１及び第２の内部電極２１、３１、第３の内部電極４１、第４の内部電極５１、第１及び第２の内部電極２２、３２、第３の内部電極４２、第４の内部電極５２、第１及び第２の内部電極２７、３７の順で配置されている。
【００４９】
第１の領域Ｌ２１内での対向関係を詳述する。第１及び第３の内部電極２１、４１は、誘電体層１１を間に挟んで第１及び第２の主面Ｌ２ａ、Ｌ２ｂの対向方向に沿って対向している。第３及び第４の内部電極４１、５１は、誘電体層１２を間に挟んで第１及び第２の主面Ｌ２ａ、Ｌ２ｂの対向方向に沿って対向している。第４及び第１の内部電極５１、２２は、誘電体層１３を間に挟んで第１及び第２の主面Ｌ２ａ、Ｌ２ｂの対向方向に沿って対向している。第１及び第３の内部電極２２、４２は、誘電体層１４を間に挟んで第１及び第２の主面Ｌ２ａ、Ｌ２ｂの対向方向に沿って対向している。第３及び第４の内部電極４２、５２は、誘電体層１５を間に挟んで第１及び第２の主面Ｌ２ａ、Ｌ２ｂの対向方向に沿って対向している。第４及び第１の内部電極５２、２７は、誘電体層１６を間に挟んで第１及び第２の主面Ｌ２ａ、Ｌ２ｂの対向方向に沿って対向している。
【００５０】
第２の領域Ｌ２内での対向関係を詳述する。第２及び第３の内部電極３１、４１は、誘電体層１１を間に挟んで第１及び第２の主面Ｌ２ａ、Ｌ２ｂの対向方向に沿って対向している。第３及び第４の内部電極４１、５１は、誘電体層１２を間に挟んで第１及び第２の主面Ｌ２ａ、Ｌ２ｂの対向方向に沿って対向している。第４及び第２の内部電極５１、３２は、誘電体層１３を間に挟んで第１及び第２の主面Ｌ２ａ、Ｌ２ｂの対向方向に沿って対向している。第２及び第３の内部電極３２、４２は、誘電体層１４を間に挟んで第１及び第２の主面Ｌ２ａ、Ｌ２ｂの対向方向に沿って対向している。第３及び第４の内部電極４２、５２は、誘電体層１５を間に挟んで第１及び第２の主面Ｌ２ａ、Ｌ２ｂの対向方向に沿って対向している。第４及び第２の内部電極５２、３７は、誘電体層１６を間に挟んで第１及び第２の主面Ｌ２ａ、Ｌ２ｂの対向方向に沿って対向している。
【００５１】
また、第３の内部電極４１と第４の内部電極５１とは、第１及び第２の主面Ｌ２ａ、Ｌ２ｂの対向方向に沿って、誘電体層１２を間に挟んで隣接している。第３の内部電極４２と第４の内部電極５２とは、第１及び第２の主面Ｌ２ａ、Ｌ２ｂの対向方向に沿って、誘電体層１５を間に挟んで隣接している。
【００５２】
第１の内部電極２１、２２、２７は、主電極部２３、２４、２８と、主電極部２３、２４、２８から第２の側面Ｌ２ｆに露出するように伸びる引き出し部２５、２６、２９とを含んでいる。第２の側面Ｌ２ｆに露出する引き出し部２５、２６、２９は、第１の端子電極１に物理的に接続される。
【００５３】
第２の内部電極３１、３２、３７は、主電極部３３、３４、３８と、主電極部３３、３４、３８から第１の側面Ｌ２ｅに露出するように伸びる引き出し部３５、３６、３９とを含んでいる。第１の側面Ｌ２ｅに露出する引き出し部３５、３６、３９は、第２の端子電極２に物理的に接続される。
【００５４】
第３の内部電極４１、４２は、主電極部４３、４４と、主電極部４３、４４から第１の側面Ｌ２ｅに露出するように伸びる引き出し部４５、４６とを含んでいる。第１の側面Ｌ２ｅに露出する引き出し部４５、４６は、第３の端子電極３に物理的に接続される。
【００５５】
第４の内部電極５１、５２は、主電極部５３、５４と、主電極部５３、５４から第２の側面Ｌ２ｆに露出するように伸びる引き出し部５５、５６とを含んでいる。第２の側面Ｌ２ｆに露出する引き出し部５５、５６は、第４の端子電極４に物理的に接続される。
【００５６】
図７に示されているように、コンデンサ素体Ｌ２の第１の領域Ｌ２１では、第１の内部電極２１、２２、２７と第３及び第４の内部電極４１、４２、５１、５２とが静電容量を形成し、積層コンデンサアレイＣＡ２に含まれるコンデンサの１つであるコンデンサを形成する。コンデンサ素体Ｌ２の第２の領域Ｌ２２では、第２の内部電極３１、３２、３７と第３及び第４の内部電極４１、４２、５１、５２とが静電容量を形成し、積層コンデンサアレイＣＡ２に含まれる別のコンデンサを形成する。こうして、積層コンデンサアレイＣＡ２には、２つのコンデンサが形成される。なお、図７において、誘電体層１０〜１７に相当する領域のハッチングは見易さのため省略している。
【００５７】
積層コンデンサアレイＣＡ２の複数のコンデンサの形成に寄与する第３及び第４の内部電極４１、４２、５１、５２は、第１及び第２の領域Ｌ２１、Ｌ２２の双方に跨るように配置されている。したがって、第１の内部電極２１、２２、２７と第３及び第４の内部電極４１、４２、５１、５２とによって形成されるコンデンサ、並びに第２の内部電極３１、３２、３７と第３及び第４の内部電極４１、４２、５１、５２とによって形成されるコンデンサに電圧が印加され、それぞれのコンデンサに電歪が生じた場合であっても、図７から明らかなように、第１及び第２の領域Ｌ２１、Ｌ２２の間、すなわち２つのコンデンサの間に第３及び第４の内部電極４１、４２、５１、５２が存在するため、この部分にも電歪が発生する。これにより、２つのコンデンサの間に応力が集中することが抑制される。
【００５８】
また、第３及び第４の内部電極４１、４２、５１、５２は隣接してコンデンサ素体Ｌ２内に配置されている。積層コンデンサアレイＣＡ２に電圧を印加した場合であっても、同極性の内部電極が隣接して対向している箇所では電界は生じない。すなわち、第３及び第４の内部電極４１、５１が隣接している箇所、及び第３及び第４の内部電極４２、５２が隣接している箇所には、これらの隣接している内部電極による電界は発生しない。したがって、その分、電歪によって発生する積層コンデンサアレイＣＡ２の振動は抑制される。
（第３実施形態）
【００５９】
図８〜図１０を参照して、第３実施形態に係る積層コンデンサアレイＣＡ３の構成について説明する。図８は、第３実施形態に係る積層コンデンサアレイの斜視図である。図９は、第３実施形態に係る積層コンデンサアレイに含まれるコンデンサ素体の分解斜視図である。図１０は、図８に示した積層コンデンサアレイのX−X矢印断面の構成を説明するための図である。
【００６０】
第３実施形態に係る積層コンデンサアレイＣＡ３は、図８に示されるように、コンデンサ素体Ｌ３と、コンデンサ素体Ｌ３の外表面に配置された第１〜第４の端子電極１〜４とを備える。
【００６１】
コンデンサ素体Ｌ３は、図８に示されるように、直方体状であり、互いに対向する長方形状の第１及び第２の主面Ｌ３ａ、Ｌ３ｂと、第１及び第２の主面Ｌ３ａ、Ｌ３ｂ間を連結するように第1及び第２の主面の短辺方向に伸び且つ互いに対向する第１及び第２の端面Ｌ３ｃ、Ｌ３ｄと、第1及び第２の主面Ｌ３ａ、Ｌ３ｂ間を連結するように第1及び第２の主面Ｌ３ａ、Ｌ３ｂの長辺方向に伸び且つ互いに対向する第１及び第２の側面Ｌ３ｅ、Ｌ３ｆと、を有する。
【００６２】
第１及び第２の端子電極１、２は、コンデンサ素体Ｌ３の第２の側面Ｌ３ｆに配置されている。第１及び第２の端子電極１、２はこの順で、第１の端面Ｌ３ｃ側から第２の端面Ｌ３ｄ側に向かって配置されている。第３及び第４の端子電極３、４は、コンデンサ素体Ｌ３の第２の側面Ｌ３ｆと対向する第１の側面Ｌ３ｅに配置されている。第３及び第４の端子電極３、４はこの順で、第１の端面Ｌ３ｃ側から第２の端面Ｌ３ｄ側に向かって配置されている。
【００６３】
コンデンサ素体Ｌ３は、図９に示されるように、積層された複数（本実施形態では、９層）の誘電体層１０〜１８を有する。図９に示されているように、コンデンサ素体Ｌ３には、複数（本実施形態では２層）の第１の内部電極２１、２２と、複数（本実施形態では２層）の第２の内部電極３１、３２と、複数（本実施形態では２層）の第３の内部電極４１、４２と、複数（本実施形態では２層）の第４の内部電極５１、５２とが配置されている。
【００６４】
第１の内部電極２１、２２は、コンデンサ素体Ｌ３内において第１及び第２の主面Ｌ３ａ、Ｌ３ｂの対向方向に伸びる第１の領域Ｌ３１に配置される。第２の内部電極３１、３２は、コンデンサ素体Ｌ３内において第１及び第２の主面Ｌ３ａ、Ｌ３ｂの対向方向に伸びる第２の領域Ｌ３２に配置される。
【００６５】
第３の内部電極４１、４２は、第１及び第２の領域Ｌ３１、Ｌ３２の双方に跨るように、コンデンサ素体Ｌ３内の配置される。第４の内部電極５１、５２は、第１及び第２の領域Ｌ３１、Ｌ３２の双方に跨るように、コンデンサ素体Ｌ３内の配置される。
【００６６】
第１及び第２の領域Ｌ３１、Ｌ３２は、第１及び第２の主面Ｌ３ａ、Ｌ３ｂの対向方向に直交する方向である第１及び第２の端面Ｌ３ｃ、Ｌ３ｄの対向方向に沿って並んでいる。第１の領域Ｌ３１はコンデンサ素体Ｌ３の第１の端面Ｌ３ｃ側の領域に相当し、第２の領域Ｌ３２はコンデンサ素体Ｌ３の第２の端面Ｌ３ｄ側の領域に相当する。
【００６７】
第１の内部電極２１は、コンデンサ素体Ｌ３の第１及び第２の主面Ｌ３ａ、Ｌ３ｂの対向方向において、複数の第２の内部電極３１、３２の何れとも異なる位置に配置されている。第１の内部電極２２は、コンデンサ素体Ｌ３の第１及び第２の主面Ｌ３ａ、Ｌ３ｂの対向方向でにおいて、複数の第２の内部電極３１、３２の何れとも異なる位置に配置されている。第２の内部電極３１は、コンデンサ素体Ｌ３の第１及び第２の主面Ｌ３ａ、Ｌ３ｂの対向方向でにおいて、複数の第１の内部電極２１、２２の何れとも異なる位置に配置されている。第２の内部電極３２は、コンデンサ素体Ｌ３の第１及び第２の主面Ｌ３ａ、Ｌ３ｂの対向方向でにおいて、複数の第１の内部電極２１、２２の何れとも異なる位置に配置されている。
【００６８】
第１の内部電極２１、２２と第２の内部電極３１、３２とは、コンデンサ素体の第１及び第２の主面Ｌ３ａ、Ｌ３ｂの対向方向で見たときに、第１及び第２の端面Ｌ３ｃ、Ｌ３ｄの対向方向に沿って併置されている。そして、第１の内部電極２１、２２は、コンデンサ素体の第１及び第２の主面Ｌ３ａ、Ｌ３ｂの対向方向で見たときに、第１及び第２の端面Ｌ３ｃ、Ｌ３ｄの対向方向で第１の端面Ｌ３ｃ側に位置する。第２の内部電極３１、３２は、コンデンサ素体の第１及び第２の主面Ｌ３ａ、Ｌ３ｂの対向方向で見たときに、第１及び第２の端面Ｌ３ｃ、Ｌ３ｄの対向方向で第２の端面Ｌ３ｄ側に位置する。
【００６９】
第１の内部電極２１、２２は、コンデンサ素体の第１及び第２の主面Ｌ３ａ、Ｌ３ｂの対向方向で見て、第２の内部電極３１、３２の何れとも対向する領域を有さない。
【００７０】
コンデンサ素体Ｌ３内において複数の内部電極は、第１の主面Ｌ３ａから第２の主面Ｌ３ｂに向かって、第１の内部電極２１、第３の内部電極４１、第４の内部電極５１、第２の内部電極３１、第１の内部電極２２、第３の内部電極４２、第４の内部電極５２、第２の内部電極３２の順で配置されている。
【００７１】
第１の領域Ｌ３１内での対向関係を詳述する。第１及び第３の内部電極２１、４１は、誘電体層１１を間に挟んで第１及び第２の主面Ｌ３ａ、Ｌ３ｂの対向方向に沿って対向している。第３及び第４の内部電極４１、５１は、誘電体層１２を間に挟んで第１及び第２の主面Ｌ３ａ、Ｌ３ｂの対向方向に沿って対向している。第４及び第１の内部電極５１、２２は、誘電体層１３、１４を間に挟んで第１及び第２の主面Ｌ３ａ、Ｌ３ｂの対向方向に沿って対向している。第１及び第３の内部電極２２、４２は、誘電体層１５を間に挟んで第１及び第２の主面Ｌ３ａ、Ｌ３ｂの対向方向に沿って対向している。第３及び第４の内部電極４２、５２は、誘電体層１６を間に挟んで第１及び第２の主面Ｌ３ａ、Ｌ３ｂの対向方向に沿って対向している。
【００７２】
第２の領域Ｌ３２内での対向関係を詳述する。第３及び第４の内部電極４１、５１は、誘電体層１２を間に挟んで第１及び第２の主面Ｌ３ａ、Ｌ３ｂの対向方向に沿って対向している。第４及び第２の内部電極５１、３１は、誘電体層１３を間に挟んで第１及び第２の主面Ｌ３ａ、Ｌ３ｂの対向方向に沿って対向している。第２及び第３の内部電極３１、４２は、誘電体層１４、１５を間に挟んで第１及び第２の主面Ｌ３ａ、Ｌ３ｂの対向方向に沿って対向している。第３及び第４の内部電極４２、５２は、誘電体層１６を間に挟んで第１及び第２の主面Ｌ３ａ、Ｌ３ｂの対向方向に沿って対向している。第４及び第２の内部電極５２、３２は、誘電体層１７を間に挟んで第１及び第２の主面Ｌ３ａ、Ｌ３ｂの対向方向に沿って対向している。
【００７３】
第１の主面Ｌ３ａと第３の内部電極４１とは、誘電体層１０、１１を間に挟んで第１及び第２の主面Ｌ３ａ、Ｌ３ｂの対向方向に沿って対向している。第４の内部電極５２と第２の主面Ｌ３ｂとは、誘電体層１７、１８を間に挟んで第１及び第２の主面Ｌ３ａ、Ｌ３ｂの対向方向に沿って対向している。
【００７４】
また、第３の内部電極４１と第４の内部電極５１とは、第１及び第２の主面Ｌ３ａ、Ｌ３ｂの対向方向に沿って、誘電体層１２を間に挟んで隣接している。第３の内部電極４２と第４の内部電極５２とは、第１及び第２の主面Ｌ３ａ、Ｌ３ｂの対向方向に沿って、誘電体層１６を間に挟んで隣接している。
【００７５】
第１の内部電極２１、２２は、主電極部２３、２４と、主電極部２３、２４から第２の側面Ｌ３ｆに露出するように伸びる引き出し部２５、２６とを含んでいる。第２の側面Ｌ３ｆに露出する引き出し部２５、２６は、第１の端子電極１に物理的に接続される。
【００７６】
第２の内部電極３１、３２は、主電極部３３、３４と、主電極部３３、３４から第２の側面Ｌ３ｆに露出するように伸びる引き出し部３５、３６とを含んでいる。第２の側面Ｌ３ｆに露出する引き出し部３５、３６は、第２の端子電極２に物理的に接続される。
【００７７】
第３の内部電極４１、４２は、主電極部４３、４４と、主電極部４３、４４から第１の側面Ｌ３ｅに露出するように伸びる引き出し部４５、４６とを含んでいる。第１の側面Ｌ３ｅに露出する引き出し部４５、４６は、第３の端子電極３に物理的に接続される。
【００７８】
第４の内部電極５１、５２は、主電極部５３、５４と、主電極部５３、５４から第１の側面Ｌ３ｅに露出するように伸びる引き出し部５５、５６とを含んでいる。第１の側面Ｌ３ｅに露出する引き出し部５５、５６は、第４の端子電極４に物理的に接続される。
【００７９】
図１０に示されているように、コンデンサ素体Ｌ３の第１の領域Ｌ３１では、第１の内部電極２１、２２と第３及び第４の内部電極４１、４２、５１とが静電容量を形成し、積層コンデンサアレイＣＡ３に含まれるコンデンサの１つを形成する。コンデンサ素体Ｌ３の第２の領域Ｌ３２では、第２の内部電極３１、３２と第３及び第４の内部電極４１、４２、５１とが静電容量を形成し、積層コンデンサアレイＣＡ３に含まれる別のコンデンサを形成する。こうして、積層コンデンサアレイＣＡ３には、２つのコンデンサが形成される。なお、図１０において、誘電体層１０〜１８に相当する領域のハッチングは見易さのため省略している。
【００８０】
積層コンデンサアレイＣＡ３に含まれるコンデンサの形成に寄与する第３及び第４の内部電極４１、４２、５１、５２は、第１及び第２の領域Ｌ３１、Ｌ３２の双方に跨るように配置されている。したがって、第１の内部電極２１、２２と第３及び第４の内部電極４１、４２、５１とによって形成されるコンデンサ、並びに第２の内部電極３１、３２と第３及び第４の内部電極４２、５１、５２とによって形成されるコンデンサに電圧が印加され、それぞれのコンデンサに電歪が生じた場合であっても、図１０から明らかなように、第１及び第２の領域Ｌ３１、Ｌ３２の間、すなわち２つのコンデンサの間に第３及び第４の内部電極４１、４２、５１、５２が存在するため、この部分にも電歪が発生する。これにより、２つのコンデンサの間に応力が集中することが抑制される。
【００８１】
また、第３及び第４の内部電極４１、４２、５１、５２は隣接してコンデンサ素体Ｌ３内に配置されている。積層コンデンサアレイＣＡ３に電圧を印加した場合であっても、同極性の内部電極が隣接して対向している箇所では電界は生じない。すなわち、第３及び第４の内部電極４１、５１が隣接している箇所、及び第３及び第４の内部電極４２、５２が隣接している箇所には、これらの隣接している内部電極による電界は発生しない。したがって、その分、電歪によって発生する積層コンデンサアレイＣＡ３の振動は抑制される。
【００８２】
積層コンデンサアレイＣＡ３では、各第１の内部電極２１、２２が、第１及び第２の主面Ｌ３ａ、Ｌ３ｂの対向方向において複数の第２の内部電極３１、３２の何れとも異なる位置に配置されている。そのため、例えば、第４の内部電極５１が第１及び第２の内部電極２２、３１のうち何れか一方（本実施形態では第１の内部電極２２）との間隔（２層の誘電体層１３、１４）を他方（本実施形態では第２の内部電極３１）との間隔（１層の誘電体層１３）に比べて大きくとることになる。このように異極性の内部電極同士の間隔を大きくとることができた場合、電歪によって発生する振動を抑制することが可能となる。
（第４実施形態）
【００８３】
図１１〜図１３を参照して、第４実施形態に係る積層コンデンサアレイＣＡ４の構成について説明する。図１１は、第４実施形態に係る積層コンデンサアレイの斜視図である。図１２は、第４実施形態に係る積層コンデンサアレイに含まれるコンデンサ素体の分解斜視図である。図１３は、図１１に示した積層コンデンサアレイのXIII−XIII矢印断面の構成を説明するための図である。
【００８４】
第４実施形態に係る積層コンデンサアレイＣＡ４は、図１１に示されるように、コンデンサ素体Ｌ４と、コンデンサ素体Ｌ４の外表面に配置された第１〜第４の端子電極１〜４とを備える。
【００８５】
コンデンサ素体Ｌ４は、図１１に示されるように、直方体状であり、互いに対向する長方形状の第１及び第２の主面Ｌ４ａ、Ｌ４ｂと、第１及び第２の主面Ｌ４ａ、Ｌ４ｂ間を連結するように第1及び第２の主面の短辺方向に伸び且つ互いに対向する第１及び第２の端面Ｌ４ｃ、Ｌ４ｄと、第1及び第２の主面Ｌ４ａ、Ｌ４ｂ間を連結するように第1及び第２の主面Ｌ４ａ、Ｌ４ｂの長辺方向に伸び且つ互いに対向する第１及び第２の側面Ｌ４ｅ、Ｌ４ｆと、を有する。
【００８６】
第１及び第４の端子電極１、４は、コンデンサ素体Ｌ４の第２の側面Ｌ４ｆに配置されている。第１及び第４の端子電極１、４はこの順で、第１の端面Ｌ４ｃ側から第２の端面Ｌ４ｄ側に向かって配置されている。第２及び第３の端子電極２、３は、コンデンサ素体Ｌ４の第２の側面Ｌ４ｆと対向する第１の側面Ｌ４ｅに配置されている。第２及び第３の端子電極２、３は、第３の端子電極３、第２の端子電極２の順で、第１の端面Ｌ４ｃ側から第２の端面Ｌ４ｄ側に向かって配置されている。
【００８７】
コンデンサ素体Ｌ４は、図１２に示されるように、積層された複数（本実施形態では、９層）の誘電体層１０〜１８を有する。図１２に示されているように、コンデンサ素体Ｌ４には、複数（本実施形態では２層）の第１の内部電極２１、２２と、複数（本実施形態では２層）の第２の内部電極３１、３２と、複数（本実施形態では２層）の第３の内部電極４１、４２と、複数（本実施形態では２層）の第４の内部電極５１、５２とが配置されている。
【００８８】
第１の内部電極２１、２２は、コンデンサ素体Ｌ４内において第１及び第２の主面Ｌ４ａ、Ｌ４ｂの対向方向に伸びる第１の領域Ｌ４１に配置される。第２の内部電極３１、３２は、コンデンサ素体Ｌ４内において第１及び第２の主面Ｌ４ａ、Ｌ４ｂの対向方向に伸びる第２の領域Ｌ４２に配置される。
【００８９】
第３の内部電極４１、４２は、第１及び第２の領域Ｌ４１、Ｌ４２の双方に跨るように、コンデンサ素体Ｌ４内の配置される。第４の内部電極５１、５２は、第１及び第２の領域Ｌ４１、Ｌ４２の双方に跨るように、コンデンサ素体Ｌ４内の配置される。
【００９０】
第１及び第２の領域Ｌ４１、Ｌ４２は、第１及び第２の主面Ｌ４ａ、Ｌ４ｂの対向方向に直交する方向である第１及び第２の端面Ｌ４ｃ、Ｌ４ｄの対向方向に沿って並んでいる。第１の領域Ｌ４１はコンデンサ素体Ｌ４の第１の端面Ｌ４ｃ側の領域に相当し、第２の領域Ｌ４２はコンデンサ素体Ｌ４の第２の端面Ｌ４ｄ側の領域に相当する。
【００９１】
各第１の内部電極２１、２２は、コンデンサ素体Ｌ４の第１及び第２の主面Ｌ４ａ、Ｌ４ｂの対向方向でにおいて、複数の第２の内部電極３１、３２の何れとも異なる位置に配置されている。各第２の内部電極３１、３２は、コンデンサ素体Ｌ４の第１及び第２の主面Ｌ４ａ、Ｌ４ｂの対向方向でにおいて、複数の第１の内部電極２１、２２の何れとも異なる位置に配置されている。
【００９２】
第１の内部電極２１、２２と第２の内部電極３１、３２とは、コンデンサ素体の第１及び第２の主面Ｌ４ａ、Ｌ４ｂの対向方向で見たときに、第１及び第２の端面Ｌ４ｃ、Ｌ４ｄの対向方向に沿って併置されている。そして、第１の内部電極２１、２２は、コンデンサ素体の第１及び第２の主面Ｌ４ａ、Ｌ４ｂの対向方向で見たときに、第１及び第２の端面Ｌ４ｃ、Ｌ４ｄの対向方向で第１の端面Ｌ４ｃ側に位置する。第２の内部電極３１、３２は、コンデンサ素体の第１及び第２の主面Ｌ４ａ、Ｌ４ｂの対向方向で見たときに、第１及び第２の端面Ｌ４ｃ、Ｌ４ｄの対向方向で第２の端面Ｌ４ｄ側に位置する。
【００９３】
第１の内部電極２１、２２は、コンデンサ素体の第１及び第２の主面Ｌ４ａ、Ｌ４ｂの対向方向で見て、第２の内部電極３１、３２の何れとも対向する領域を有さない。
【００９４】
コンデンサ素体Ｌ４内において複数の内部電極は、第１の主面Ｌ４ａから第２の主面Ｌ４ｂに向かって、第１の内部電極２１、第３の内部電極４１、第４の内部電極５１、第２の内部電極３１、第１の内部電極２２、第３の内部電極４２、第４の内部電極５２、第２の内部電極３２の順で配置されている。
【００９５】
第１の領域Ｌ４１内での対向関係を詳述する。第１及び第３の内部電極２１、４１は、誘電体層１１を間に挟んで第１及び第２の主面Ｌ４ａ、Ｌ４ｂの対向方向に沿って対向している。第３及び第４の内部電極４１、５１は、誘電体層１２を間に挟んで第１及び第２の主面Ｌ４ａ、Ｌ４ｂの対向方向に沿って対向している。第４及び第１の内部電極５１、２２は、誘電体層１３、１４を間に挟んで第１及び第２の主面Ｌ４ａ、Ｌ４ｂの対向方向に沿って対向している。第１及び第３の内部電極２２、４２は、誘電体層１５を間に挟んで第１及び第２の主面Ｌ４ａ、Ｌ４ｂの対向方向に沿って対向している。第３及び第４の内部電極４２、５２は、誘電体層１６を間に挟んで第１及び第２の主面Ｌ４ａ、Ｌ４ｂの対向方向に沿って対向している。
【００９６】
第２の領域Ｌ４２内での対向関係を詳述する。第３及び第４の内部電極４１、５１は、誘電体層１２を間に挟んで第１及び第２の主面Ｌ４ａ、Ｌ４ｂの対向方向に沿って対向している。第４及び第２の内部電極５１、３１は、誘電体層１３を間に挟んで第１及び第２の主面Ｌ４ａ、Ｌ４ｂの対向方向に沿って対向している。第２及び第３の内部電極３１、４２は、誘電体層１４、１５を間に挟んで第１及び第２の主面Ｌ４ａ、Ｌ４ｂの対向方向に沿って対向している。第３及び第４の内部電極４２、５２は、誘電体層１６を間に挟んで第１及び第２の主面Ｌ４ａ、Ｌ４ｂの対向方向に沿って対向している。第４及び第２の内部電極５２、３２は、誘電体層１７を間に挟んで第１及び第２の主面Ｌ４ａ、Ｌ４ｂの対向方向に沿って対向している。
【００９７】
第１の主面Ｌ４ａと第３の内部電極４１とは、誘電体層１０、１１を間に挟んで第１及び第２の主面Ｌ４ａ、Ｌ４ｂの対向方向に沿って対向している。第４の内部電極５２と第２の主面Ｌ４ｂとは、誘電体層１７、１８を間に挟んで第１及び第２の主面Ｌ４ａ、Ｌ４ｂの対向方向に沿って対向している。
【００９８】
また、第３の内部電極４１と第４の内部電極５１とは、第１及び第２の主面Ｌ４ａ、Ｌ４ｂの対向方向に沿って、誘電体層１２を間に挟んで隣接している。第３の内部電極４２と第４の内部電極５２とは、第１及び第２の主面Ｌ４ａ、Ｌ４ｂの対向方向に沿って、誘電体層１６を間に挟んで隣接している。
【００９９】
第１の内部電極２１、２２は、主電極部２３、２４と、主電極部２３、２４から第２の側面Ｌ４ｆに露出するように伸びる引き出し部２５、２６とを含んでいる。第２の側面Ｌ４ｆに露出する引き出し部２５、２６は、第１の端子電極１に物理的に接続される。
【０１００】
第２の内部電極３１、３２は、主電極部３３、３４と、主電極部３３、３４から第１の側面Ｌ４ｅに露出するように伸びる引き出し部３５、３６とを含んでいる。第１の側面Ｌ４ｅに露出する引き出し部３５、３６は、第２の端子電極２に物理的に接続される。
【０１０１】
第３の内部電極４１、４２は、主電極部４３、４４と、主電極部４３、４４から第１の側面Ｌ４ｅに露出するように伸びる引き出し部４５、４６とを含んでいる。第１の側面Ｌ４ｅに露出する引き出し部４５、４６は、第３の端子電極３に物理的に接続される。
【０１０２】
第４の内部電極５１、５２は、主電極部５３、５４と、主電極部５３、５４から第２の側面Ｌ４ｆに露出するように伸びる引き出し部５５、５６とを含んでいる。第２の側面Ｌ４ｆに露出する引き出し部５５、５６は、第４の端子電極４に物理的に接続される。
【０１０３】
図１３に示されているように、積層コンデンサアレイＣＡ４では、第１の内部電極２１、２２と第３及び第４の内部電極４１、４２、５１とが静電容量を形成し、積層コンデンサアレイＣＡ４に含まれるコンデンサの１つを形成する。積層コンデンサアレイＣＡ４ではさらに、第２の内部電極３１、３２と第３及び第４の内部電極４１、４２、５１とが静電容量を形成し、積層コンデンサアレイＣＡ４に含まれる別のコンデンサを形成する。こうして、積層コンデンサアレイＣＡ４には、２つのコンデンサが形成される。なお、図１３において、誘電体層１０〜１８に相当する領域のハッチングは見易さのため省略している。
【０１０４】
積層コンデンサアレイＣＡ４に含まれるコンデンサの形成に寄与する第３及び第４の内部電極４１、４２、５１は、第１及び第２の主面Ｌ４ａ、Ｌ４ｂの対向方向で見たときに、第１及び第２の内部電極２１、２２、３１、３２の双方を跨ぐように配されている。したがって、第１の内部電極２１、２２と第３及び第４の内部電極４１、４２、５１とによって形成されるコンデンサＣ４１、並びに第２の内部電極３１、３２と第３及び第４の内部電極４１、４２、５１とによって形成されるコンデンサＣ４２に電圧が印加され、それぞれのコンデンサに電歪が生じた場合であっても、図１３から明らかなように、２つのコンデンサＣ４１、Ｃ４２の間に第３及び第４の内部電極４１、４２、５１、５２が存在するため電歪が発生する。これにより、２つのコンデンサＣ４１、Ｃ４２の間に応力が集中することが抑制される。
【０１０５】
積層コンデンサアレイＣＡ４のコンデンサの形成に寄与する第３及び第４の内部電極４１、４２、５１、５２は、第１及び第２の領域Ｌ４１、Ｌ４２の双方に跨るように配置されている。したがって、第１の内部電極２１、２２と第３及び第４の内部電極４１、４２、５１とによって形成されるコンデンサ、並びに第２の内部電極３１、３２と第３及び第４の内部電極４２、５１、５２とによって形成されるコンデンサに電圧が印加され、それぞれのコンデンサに電歪が生じた場合であっても、図１３から明らかなように、第１及び第２の領域Ｌ４１、Ｌ４２の間、すなわち２つのコンデンサの間に第３及び第４の内部電極４１、４２、５１、５２が存在するため、この部分にも電歪が発生する。これにより、２つのコンデンサの間に応力が集中することが抑制される。
【０１０６】
また、第３及び第４の内部電極４１、４２、５１、５２は隣接してコンデンサ素体Ｌ４内に配置されている。積層コンデンサアレイＣＡ４に電圧を印加した場合であっても、同極性の内部電極が隣接して対向している箇所では電界は生じない。すなわち、第３及び第４の内部電極４１、５１が隣接している箇所、及び第３及び第４の内部電極４２、５２が隣接している箇所には、これらの隣接している内部電極による電界は発生しない。したがって、その分、電歪によって発生する積層コンデンサアレイＣＡ４の振動は抑制される。
【０１０７】
積層コンデンサアレイＣＡ４では、各第１の内部電極２１、２２が、第１及び第２の主面Ｌ４ａ、Ｌ４ｂの対向方向において複数の第２の内部電極３１、３２の何れとも異なる位置に配置されている。そのため、例えば、第４の内部電極５１が第１及び第２の内部電極２２、３１のうち何れか一方（本実施形態では第１の内部電極２２）との間隔（２層の誘電体層１３、１４）を他方（本実施形態では第２の内部電極３１）との間隔（１層の誘電体層１３）に比べて大きくとることになる。このように異極性の内部電極同士の間隔を大きくとることができた場合、電歪によって発生する振動を抑制することが可能となる。
【０１０８】
以上、本発明の好適な実施形態について詳細に説明したが、本発明は上記実施形態に限定されるものではない。例えば、積層コンデンサアレイに含まれるコンデンサの数は、上述した実施形態に記載された数に限られない。また、端子電極１〜４の数も、上述した実施形態に記載された数に限られない。
【０１０９】
また、誘電体層１０〜１８の積層数及び第１〜第４の内部電極２１、２２、３１、３２、４１、４２、５１、５２それぞれの積層数は、上述した実施形態に記載された数に限られない。また、積層コンデンサアレイに含まれるコンデンサごとに内部電極の積層数が異なっていてもよい。
【０１１０】
また、第１〜第４の内部電極２１、２２、３１、３２、４１、４２、５１、５２の形状は、上記実施形態に記載された形状に限られない。
【図面の簡単な説明】
【０１１１】
【図１】第１実施形態に係る積層コンデンサアレイの斜視図である。
【図２】第１実施形態に係る積層コンデンサアレイに含まれるコンデンサ素体の分解斜視図である。
【図３】図１に示した積層コンデンサアレイのIII−III矢印断面の構成を説明するための図である。
【図４】第１実施形態に係る積層コンデンサアレイの等価回路図である。
【図５】第２実施形態に係る積層コンデンサアレイの斜視図である。
【図６】第２実施形態に係る積層コンデンサアレイに含まれるコンデンサ素体の分解斜視図である。
【図７】図５に示した積層コンデンサアレイのVII−VII矢印断面の構成を説明するための図である。
【図８】第３実施形態に係る積層コンデンサアレイの斜視図である。
【図９】第３実施形態に係る積層コンデンサアレイに含まれるコンデンサ素体の分解斜視図である。
【図１０】図８に示した積層コンデンサアレイのX−X矢印断面の構成を説明するための図である。
【図１１】第４実施形態に係る積層コンデンサアレイの斜視図である。
【図１２】第４実施形態に係る積層コンデンサアレイに含まれるコンデンサ素体の分解斜視図である。
【図１３】図１１に示した積層コンデンサアレイのXIII−XIII矢印断面の構成を説明するための図である。
【符号の説明】
【０１１２】
ＣＡ１〜ＣＡ４…積層コンデンサアレイ、Ｌ１〜Ｌ４…コンデンサ素体、１〜４…第１〜第４の端子電極、１０〜１８…誘電体層、２１、２２、２７…第１の内部電極、３１、３２、３７…第２の内部電極、４１、４２…第３の内部電極、５１、５２…第４の内部電極。
【図１】
2008251957.tif 000003
【図２】
2008251957.tif 000004
【図３】
2008251957.tif 000005
【図４】
2008251957.tif 000006
【図５】
2008251957.tif 000007
【図６】
2008251957.tif 000008
【図７】
2008251957.tif 000009
【図８】
2008251957.tif 000010
【図９】
2008251957.tif 000011
【図１０】
2008251957.tif 000012
【図１１】
2008251957.tif 000013
【図１２】
2008251957.tif 000014
【図１３】
2008251957.tif 000015